(57)【要約】【課題】電力の消費を軽減することが可能であり、かつ、ユーザに与えるストレスを軽減することが可能な携帯端末機を提供する。【解決手段】バックライト制御部１７は、操作検知部１５が所定の操作を検知してからＣＰＵ２２が強度に応じたＬＣＤバックライト１８の輝度を決定するまで、所定の輝度でＬＣＤバックライト１８を点灯させる。その後、ＣＰＵ２２が強度に応じた輝度を決定すると、バックライト制御部１７は、決定された輝度にＬＣＤバックライト１８の輝度を変更する。【選択図】図１
2007243544.tif 000002
【特許請求の範囲】
【請求項１】
表示部と、
前記表示部を照らす照明部と、
所定の操作を検知する検知部と、
前記検知部が前記所定の操作を検知すると、周囲の紫外線の強度を測定する測定部と、
前記測定部が測定した強度に応じて、前記照明部の輝度を決定する制御部と、
前記検知部が前記所定の操作を検知してから前記制御部が前記強度に応じた輝度を決定するまで、所定の輝度で前記照明部を点灯させ、前記制御部が前記強度に応じた輝度を決定すると、該決定された輝度に前記照明部の輝度を変更する照明制御部と、を含む携帯端末機。
【請求項２】
請求項１に記載の携帯端末機において、
入力部と、前記入力部を照らす照射部と、をさらに含み、
前記制御部は、前記測定部が測定した強度に応じて、前記照射部の輝度を決定し、
前記制御部が決定した照射部の輝度で、前記照射部を点灯させる照射制御部を、さらに含む携帯端末機。
【請求項３】
請求項２に記載の携帯端末機において、
前記照射制御部は、前記検知部が前記所定の操作を検知してから前記制御部が前記強度に応じた照射部の輝度を決定するまで、特定の輝度で前記照射部を点灯させ、前記制御部が前記強度に応じた照射部の輝度を決定すると、該決定された照射部の輝度に、前記照射部の輝度を変更する、携帯端末機。
【請求項４】
表示部と、前記表示部を照らす照明部と、所定の操作を検知する検知部と、を含む携帯端末機が行なう照明制御方法であって、
前記検知部が所定の操作を検知すると、周囲の紫外線の強度を測定する測定ステップと、
前記測定された強度に応じて、前記照明部の輝度を決定する決定ステップと、
前記所定の操作が検知されてから前記強度に応じた輝度が決定されるまで、所定の輝度で前記照明部を点灯させる所定点灯ステップと、
前記強度に応じた輝度が決定されると、該決定された輝度に前記照明部の輝度を変更する変更ステップと、を含む照明制御方法。
【請求項５】
請求項４に記載の照明制御方法において、
前記携帯端末機は、入力部と、前記入力部を照らす照射部と、をさらに含み、
前記測定ステップにて測定された強度に応じて、前記照射部の輝度を決定する輝度決定ステップと、
前記決定された前記照射部の輝度で、前記照射部を点灯させる照射ステップと、をさらに含む照明制御方法。
【請求項６】
請求項５に記載の照明制御方法において、
前記所定の操作が検知されてから前記強度に応じた前記照射部の輝度を決定するまで、特定の輝度で前記照射部を点灯させる特定点灯ステップと、
前記強度に応じた前記照射部の輝度が決定されると、該決定された照射部の輝度に、前記照射部の輝度を変更する輝度変更ステップと、をさらに含む照明制御方法。
【請求項７】
表示部と、前記表示部を照らす照明部と、所定の操作を検知する検知部と、周囲の紫外線の強度を測定する測定部とに接続されたコンピュータに照明制御処理を実行させるプログラムであって、
前記検知部が前記所定の操作を検知すると、前記測定部に周囲の紫外線の強度を測定させる測定処理と、
前記測定された強度に応じ前記照明部の輝度を決定する決定処理と、
前記所定の操作が検知されてから前記強度に応じた輝度が決定されるまで、所定の輝度で前記照明部を点灯させる所定点灯処理と、
前記強度に応じた輝度が決定されると、該決定された輝度に前記照明部の輝度を変更する変更処理と、を含む照明制御処理を前記コンピュータに実行させるプログラム。
【発明の詳細な説明】
【技術分野】
【０００１】
本発明は、照明部を有する携帯端末機、照明制御方法およびプログラムに関する。
【背景技術】
【０００２】
従来、携帯電話機などの携帯端末機には、液晶ディスプレイ（ＬＣＤ）を照らすバックライトが設けられている。このバックライトが点灯されると、携帯端末機の電力は消費される。
【０００３】
特許文献１（特開２００４−２３５２０号公報）には、周囲の紫外線の強度を測定し、その強度に応じて表示部を照らすバックライトの光量を調節する情報端末機が記載されている。
【０００４】
図５は、この情報端末機の動作を説明するためのフローチャートである。図５において、先ず、例えば、キー入力などの、所定の操作が行なわれる（Ｓ１０１）。次に、紫外線の強度が測定される（Ｓ１０２）。また、その強度に応じてバックライトの光量が決定される（Ｓ１０３）。さらに、その光量でバックライトが点灯される。
【０００５】
これにより、バックライトは、ユーザが表示部を確認しやすい光量より大きい光量で表示部を照らさなくてもよくなるため、電力の消費を軽減することが可能になっている。
【特許文献１】特開２００４−２３５２０号公報
【発明の開示】
【発明が解決しようとする課題】
【０００６】
通常、ユーザにて携帯端末機が使用されていない場合、バックライトは消灯されている。また、ユーザが、例えば、キー入力などの、所定の操作を行なうと、バックライトは、点灯される。
【０００７】
特許文献１に記載の情報端末機において、紫外線の強度の測定に時間がかかると、ユーザが所定の操作を行なってから、バックライトが点灯するまでに時間がかかるため、ユーザは、ストレスを感じるかもしれない。
【０００８】
本発明の目的は、電力の消費を軽減することが可能であり、かつ、ユーザに与えるストレスを軽減することが可能な携帯端末機、照明制御方法およびプログラムを提供することである。
【課題を解決するための手段】
【０００９】
前記目的を達成するために、本発明の携帯端末機は、表示部と、前記表示部を照らす照明部と、所定の操作を検知する検知部と、前記検知部が所定の操作を検知すると、周囲の紫外線の強度を測定する測定部と、前記測定部が測定した強度に応じ前記照明部の輝度を決定する制御部と、前記検知部が前記所定の操作を検知してから前記制御部が前記強度に応じた輝度を決定するまで、所定の輝度で前記照明部を点灯させ、その後、前記制御部が前記強度に応じた輝度を決定すると、該決定された輝度に前記照明部の輝度を変更する照明制御部と、を含む。
【００１０】
また、本発明の照明制御方法は、表示部と、前記表示部を照らす照明部と、所定の操作を検知する検知部と、を含む携帯端末機が行なう照明制御方法であって、前記検知部が所定の操作を検知すると、周囲の紫外線の強度を測定する測定ステップと、前記測定された強度に応じ前記照明部の輝度を決定する決定ステップと、前記所定の操作が検知されてから前記強度に応じた輝度が決定されるまで、所定の輝度で前記照明部を点灯させる所定点灯ステップと、前記強度に応じた輝度が決定されると、該決定された輝度に前記照明部の輝度を変更する変更ステップと、を含む。
【００１１】
上記の発明によれば、照明部は、所定の操作が検知されてから紫外線の強度に応じた輝度が決定されるまで、所定の輝度で点灯され、その後、紫外線の強度に応じた輝度が決定されると、その決定された輝度に変更される。
【００１２】
このため、紫外線の強度の測定に時間がかかっても、ユーザが所定の操作を行なうとすぐに、照明部が点灯することが可能になる。また、その後、照明部は、紫外線の強度に応じた輝度に変更されるために、電力の消費を軽減することが可能になる。よって、電力の消費を軽減することが可能になり、かつ、ユーザに与えるストレスを軽減することが可能になる。
【００１３】
また、入力部と、前記入力部を照らす照射部と、をさらに含み、前記制御部は、前記測定部が測定した強度に応じた前記照射部の輝度を決定し、前記制御部が決定した前記照射部の輝度で、前記照射部を点灯させる照射制御部さらに含むことが望ましい。
【００１４】
上記の発明によれば、入力部を照らす照射部の輝度が、紫外線の強度に応じて決定される。これにより、入力部を照らす照射部が消費する電力を軽減することが可能になる。
【００１５】
また、前記照射制御部は、前記検知部が前記所定の操作を検知してから前記制御部が前記強度に応じた前記照射部の輝度を決定するまで、特定の輝度で前記照射部を点灯させ、その後、前記制御部が前記強度に応じた前記照射部の輝度を決定すると、該決定された前記照射部の輝度に前記照射部の輝度を変更することが望ましい。
【００１６】
上記の発明によれば、照射部は、所定の操作が検知されてから紫外線の強度に応じた輝度が決定されるまで、特定の輝度で点灯され、その後、紫外線の強度に応じた輝度が決定されると、その決定された輝度に変更される。
【００１７】
このため、照射部が消費する電力を軽減することが可能になり、かつ、ユーザに与えるストレスを軽減することが可能になる。
【００１８】
また、本発明のプログラムは、表示部と、前記表示部を照らす照明部と、所定の操作を検知する検知部と、周囲の紫外線の強度を測定する測定部とに接続されたコンピュータに照明制御処理を実行させるプログラムであって、前記検知部が所定の操作を検知すると、前記測定部に周囲の紫外線の強度を測定させる測定処理と、前記測定された強度に応じ前記照明部の輝度を決定する決定処理と、前記所定の操作が検知されてから前記強度に応じた輝度が決定されるまで、所定の輝度で前記照明部を点灯させる所定点灯処理と、前記強度に応じた輝度が決定されると、該決定された輝度に前記照明部の輝度を変更する変更処理と、を含む照明制御処理を前記コンピュータに実行させるプログラム。
【００１９】
上記の発明によれば、上記照明制御方法をコンピュータに実行させることが可能になる。
【発明の効果】
【００２０】
本発明によれば、電力の消費を軽減することが可能であり、かつ、ユーザに与えるストレスを軽減することが可能になる。
【発明を実施するための最良の形態】
【００２１】
以下、本発明の実施例について図面を参照して説明する。なお、本実施例では、携帯端末機が折り畳み型の携帯電話機であるとして説明する。
【００２２】
図１は、本発明の一実施例の携帯電話機の構成を示したブロック図である。
【００２３】
図１において、ユーザ操作部１１と、メモリ１２と、電源部１３と、携帯電話無線部１４と、操作検知部１５と、ＬＣＤ１６と、バックライト制御部１７と、ＬＣＤバックライト１８と、ＬＥＤ制御部１９と、ＬＥＤ２０と、紫外線検出部２１と、ＣＰＵ２２とを含む。
【００２４】
ユーザ操作部１１は、例えば、キー入力装置であり、ユーザから各種情報を受け付ける。
【００２５】
メモリ１２は、ＣＰＵ２２にて読み取り可能な記録媒体であり、ＣＰＵ２２の動作を規定するプログラムを記録する。具体的には、メモリ１２は、ＲＯＭとＲＡＭとを含む。ＲＯＭは、ＣＰＵ２２の動作を規定するプログラムを記録する。ＲＡＭは、ＲＯＭが記録したプログラムのワークエリアとして用いられる。また、ＲＡＭは、一時的なユーザの設定などを記録する。
【００２６】
また、メモリ１２は、紫外線の強度と、該強度に応じたＬＣＤバックライト１８およびＬＥＤ２０の発する光の輝度を決定するための輝度調整値と、を強度ごと関連づけて記録する。
【００２７】
電源部１３は、携帯電話機に電力を供給する。無線部１４は、無線基地局と通信を行なう。
【００２８】
操作検知部１５は、携帯電話機へのユーザの操作を検知する。また、操作検知部１５は、操作部検知部１５ａと、開閉検知部１５ｂとを含む。
【００２９】
操作部検知部１５ａは、ユーザ操作部１１がユーザにて操作されたか否かを検知する。例えば、ユーザにてキーが押下されると、キーが押下されたことを検知する。
【００３０】
開閉検知部１５ｂは、携帯電話機の開閉を検知する。具体的には、開閉検知部１５ｂは、携帯電話機が閉状態から開状態に展開されたこと、および、携帯電話機が開状態から閉状態に折り畳まれたことを検知する。なお、携帯電話機が折り畳み可能でない場合、開閉検知部１５ｂは設けられない。
【００３１】
ＬＣＤ１６は、各種情報を表示する。バックライト制御部１７は、電源部１３からＬＣＤバックライト１８に供給される電流を制御して、ＬＣＤバックライト１８を制御する。ＬＣＤバックライト１８は、ＬＣＤバックライト制御部１７にて制御され、ＬＣＤ１６を照らす。
【００３２】
ＬＥＤ制御部１９は、電源部１３からＬＥＤ２０に供給される電流を制御して、ＬＥＤ２０を制御する。ＬＥＤ２０は、ＬＥＤ制御部１９にて制御され、ユーザ操作部１１を照らす。
【００３３】
紫外線検出部２１は、例えば、紫外線センサであり、周囲の紫外線の強度を測定する。なお、紫外線検出部２１は、ＣＰＵ２２にて動作を制御される。
【００３４】
ＣＰＵ２２は、メモリ１２のＲＯＭに記録されたプログラムを読み取り、読み取ったプログラムを、メモリ１２のＲＡＭをワークエリアとして用いて実行し、以下の動作を実現する。
【００３５】
ＣＰＵ２２は、操作検知部１５がユーザから携帯端末機への所定の操作を検知すると、バックライト制御部１７および紫外線検出部２１を動作させる。具体的には、ＣＰＵ２２は、所定の輝度でＬＣＤバックライト１８が点灯されるように、バックライト制御部１７を制御すると共に、紫外線検出部２１に紫外線の強度を測定させる。
【００３６】
なお、操作検知部１５による所定の操作の検知は、具体的には、操作部検知部１５ａによるキーの押下の検知、または、開閉検知部１５ｂによる携帯電話機の展開の検知である。
【００３７】
ＣＰＵ２２は、紫外線検出部２１が紫外線の強度を測定すると、その強度に応じた輝度に、ＬＣＤバックライト１８の輝度が変更されるように、バックライト制御部１７を制御する。
【００３８】
具体的には、先ず、ＣＰＵ２２は、その強度と関連づけられた輝度調整値をメモリ１２から取得する。続いて、ＣＰＵ２２は、その輝度調整値に応じた輝度にＬＣＤバックライト１８の輝度が変更されるように、バックライト制御部１７を制御する。
【００３９】
なお、紫外線の強度が大きい場合、携帯電話機が太陽光の下で使用されている可能性が高い。携帯電話機が太陽光の下で使用されると、ユーザはＬＣＤ１６に表示されている情報を確認することが難しくなる。このため、ＣＰＵ２２は、ＬＣＤ１６に表示されている情報をユーザが確認しやすいように、ＬＣＤバックライト１８の輝度を大きくする。一方、紫外線の強度が小さい場合、携帯電話機が太陽光の下で使用されていない可能性が高い。この場合、ＣＰＵ２２は、ＬＣＤバックライトの輝度を小さくして、電源部１３による電力の消費を軽減する。
【００４０】
次に動作を説明する。
【００４１】
図２は、ＣＰＵが、ＬＣＤバックライトを所定の輝度で点灯させた後で、ＬＣＤバックライトの輝度を制御する携帯電話機の動作を説明するためのフローチャートである。
【００４２】
操作検知部１５は、ユーザから携帯電話機への所定の操作を検知すると、ステップＳ２０１を実行する。
【００４３】
ステップＳ２０１では、操作検知部１５は、ユーザからの所定の操作を検知した旨の操作検知信号をＣＰＵ２２に出力する。ＣＰＵ２２は、操作検知信号を受け付けると、ステップＳ２０２を実行する。
【００４４】
ステップ２０２では、ＣＰＵ２２は、紫外線検出部２１に、動作させる旨の動作信号を出力すると共に、バックライト制御部１７に、所定の輝度でＬＣＤバックライト１８を点灯させる旨の所定制御信号を出力する。
【００４５】
バックライト制御部１７は、所定制御信号を受け付けると、その所定制御信号に従って、ＬＣＤバックライト１８を制御する。換言すれば、バックライト制御部１７は、所定の輝度でＬＣＤバックライト１８を点灯させる。
【００４６】
一方、紫外線検出部２１は、動作信号を受け付けると、ステップＳ２０３を実行する。
【００４７】
ステップ２０３では、紫外線検出部２１は、周囲の紫外線の強度を測定し、その強度をＣＰＵ２２に出力する。ＣＰＵ２２は、その強度を受け付けると、ステップＳ２０４を実行する。
【００４８】
ステップＳ２０４では、ＣＰＵ２２は、その強度に応じたＬＣＤバックライト１８の輝度を決定する。具体的には、ＣＰＵ２２は、その強度に関連づけられた輝度調整値をメモリ１２から取得する。ＣＰＵ２２は、輝度調整値を取得すると、その輝度調整値に応じたＬＣＤバックライト１８の輝度を決定する。ＣＰＵ２２は、輝度を決定すると、ステップＳ２０５を実行する。
【００４９】
ステップＳ２０５では、ＣＰＵ２２は、その輝度でＬＣＤバックライト１８を点灯する旨の制御信号をバックライト制御部１７に出力する。バックライト制御部１７は、制御信号を受け付けると、その制御信号に従ってＬＣＤバックライト１８を制御する。具体的には、バックライト制御部１７は、ＬＣＤバックライト１８の輝度を、所定の輝度から、その輝度調整値に応じた輝度に変更する。
【００５０】
本実施例では、ＣＰＵ２２は、紫外線検出部２１が測定した強度に応じたＬＣＤバックライト１８の輝度を決定する。バックライト制御部１７は、操作検知部１５が所定の操作を検知してからＣＰＵ２２が強度に応じたＬＣＤバックライト１８の輝度を決定するまで、所定の輝度でＬＣＤバックライト１８を点灯させ、その後、ＣＰＵ２２が強度に応じた輝度を決定すると、決定された輝度にＬＣＤバックライト１８の輝度を変更する。
【００５１】
この場合、紫外線の強度の測定に時間がかかっても、ユーザが所定の操作を行なうとすぐに、ＬＣＤバックライト１８を点灯させることが可能になる。また、その後、ＬＣＤバックライト１８は、紫外線の強度に応じた輝度に変更されるために、電力の消費を軽減することが可能になる。よって、電力の消費を軽減することが可能になり、かつ、ユーザに与えるストレスを軽減することが可能になる。
【００５２】
次に、ＬＣＤバックライトおよびＬＥＤの輝度を制御する携帯電話機について説明する。
【００５３】
図３は、ＬＣＤバックライトおよびＬＥＤの輝度を制御する携帯電話機の動作を説明するためのフローチャートである。
【００５４】
ステップＳ３０１では、操作検知部１５は、ユーザからの所定の操作を検知した旨の操作検知信号をＣＰＵ２２に出力する。ＣＰＵ２２は、操作検知信号を受け付けると、ステップＳ３０２を実行する。
【００５５】
ステップＳ３０２では、ＣＰＵ２２は、紫外線検出部２１に動作信号を出力する。紫外線検出部２１は、動作信号を受け付けると、周囲の紫外線の強度を測定し、その強度をＣＰＵ２２に出力する。ＣＰＵ２２は、その強度を受け付けると、ステップＳ３０３を実行する。
【００５６】
ステップＳ３０３では、ＣＰＵ２２は、その強度に応じたＬＣＤバックライト１８の輝度（以下では、ＬＣＤ輝度という）およびＬＥＤ２０の輝度(以下では、ＬＥＤ輝度という)を決定する。
【００５７】
具体的には、先ず、ＣＰＵ２２は、その強度と関連づけられた輝度調整値をメモリ１２から取得する。次に、ＣＰＵ２２は、輝度調整値を取得すると、その輝度調整値に応じたＬＣＤ輝度およびＬＥＤ輝度を決定する。
【００５８】
なお、ユーザ操作部１１は、携帯電話機が太陽光の下で使用されているか否かにかかわらず、ユーザは、明るいほど確認しやすい。このため、ＣＰＵ２２は、紫外線の強度が大きい場合、ＬＥＤ輝度を小さくし、紫外線の強度が小さい場合、ＬＥＤ輝度を大きくする。
【００５９】
ＣＰＵ２２は、ＬＣＤ輝度およびＬＥＤ輝度を決定すると、ステップＳ３０４を実行する。
【００６０】
ステップＳ３０４では、ＣＰＵ２２は、そのＬＣＤ輝度でＬＣＤバックライト１８を点灯する旨のＬＣＤ制御信号をバックライト制御部１７に出力すると共に、そのＬＥＤ輝度でＬＥＤ２０を点灯する旨のＬＥＤ制御信号をＬＥＤ制御部１９に出力する。
【００６１】
バックライト制御部１７は、ＬＣＤ制御信号を受け付けると、そのＬＣＤ制御信号に従ってＬＣＤバックライト１８を制御する。具体的には、バックライト制御部１７は、そのＬＣＤ輝度でＬＣＤバックライト１８を点灯させる。
【００６２】
一方、ＬＥＤ制御部１９は、ＬＥＤ制御信号を受け付けると、そのＬＥＤ制御信号に従ってＬＥＤ２０を制御する。具体的には、ＬＥＤ制御部１９は、そのＬＥＤ輝度でＬＥＤを点灯させる。
【００６３】
本実施例では、操作検知部１５が所定の操作を検知すると、紫外線検出部２１は、周囲の紫外線の強度を測定する。ＣＰＵ２２は、その強度に応じたＬＥＤ２０の輝度を決定する。ＬＥＤ制御部１９は、ＣＰＵ２２が決定したＬＥＤ２０の輝度で、ＬＥＤ２０を点灯させる。
【００６４】
この場合、ユーザ操作部１１を照らすＬＥＤ２０の輝度が、紫外線の強度に応じて決定される。これにより、ユーザ操作部を照らすＬＥＤが消費する電力を軽減することが可能になる。
【００６５】
また、ＣＰＵ２２は、紫外線検出部２１が測定した紫外線の強度に応じて、ＬＣＤ輝度およびＬＥＤ輝度を決定する。このため、一度の紫外線の強度の測定で、ＬＣＤ１６およびユーザ操作部１１が、それぞれ確認しやすくなるように、異なる輝度で点灯させることが可能になる。
【００６６】
次に、ＣＰＵが、ＬＣＤバックライトおよびＬＥＤを点灯させた後で、その輝度を制御する携帯電話機について説明する。
【００６７】
図４は、ＣＰＵが、ＬＣＤバックライトおよびＬＥＤを点灯させた後で、その輝度を制御する携帯電話機の動作を説明するためのフローチャートである。なお、図４において、図２と同一の処理には、同一の符号が付してある。
【００６８】
図４において、ＣＰＵ２２は、ステップＳ２０１で操作検知信号を受け付けると、ステップＳ４０１を実行する。
【００６９】
ステップＳ４０１では、ＣＰＵ２２は、紫外線検出部２１に動作信号を出力すると共に、バックライト制御部１７に、所定の輝度でＬＣＤバックライト１８を点灯させる旨の所定制御信号を出力し、かつ、ＬＥＤ制御部１９に、特定の輝度でＬＥＤ２０を点灯させる旨の特定制御信号を出力する。
【００７０】
バックライト制御部１７は、所定制御信号を受け付けると、その所定制御信号に従って、ＬＣＤバックライト１８を制御する。換言すれば、バックライト制御部１７は、所定の輝度でＬＣＤバックライト１８を点灯させる。
【００７１】
ＬＥＤ制御部１９は、特定制御信号を受け付けると、その特定制御信号に従って、ＬＥＤ２０を制御する。換言すれば、ＬＥＤ制御部１８は、特定の輝度でＬＥＤ２０を点灯させる。
【００７２】
一方、紫外線検出部２１は、動作信号を受け付けると、ステップＳ２０３を実行する。
【００７３】
ＣＰＵ２２は、ステップＳ２０３でｃｖｖｖｖｖｖ強度を受け付けると、ステップＳ４０２を実行する。
【００７４】
ステップＳ４０２では、ＣＰＵ２２は、その強度に応じたＬＣＤ輝度およびＬＥＤ輝度を決定する。具体的には、ＣＰＵ２２は、その強度に関連づけられた輝度調整値をメモリ１２から取得する。ＣＰＵ２２は、輝度調整値を取得すると、その輝度調整値に応じたＬＣＤ輝度、および、ＬＥＤ輝度を決定する。ＣＰＵ２２は、ＬＣＤ輝度およびＬＥＤ輝度を決定すると、ステップＳ４０３を実行する。
【００７５】
ステップＳ４０３では、ＣＰＵ２２は、そのＬＣＤ輝度でＬＣＤバックライト１８を点灯する旨のＬＣＤ制御信号をバックライト制御部１７に出力すると共に、そのＬＥＤ輝度でＬＥＤ２０を点灯する旨のＬＥＤ制御信号をＬＥＤ制御部１９に出力する。
【００７６】
バックライト制御部１７は、ＬＣＤ制御信号を受け付けると、そのＬＣＤ制御信号に従ってＬＣＤバックライト１８を制御する。具体的には、バックライト制御部１７は、ＬＣＤバックライトの輝度を、所定の輝度から、そのＬＣＤ輝度に変更する。
【００７７】
ＬＥＤ制御部１９は、ＬＥＤ制御信号を受け付けると、そのＬＥＤ制御信号に従ってＬＥＤ２０を制御する。具体的には、ＬＥＤ制御部１８は、ＬＥＤ２０の輝度を、特定の輝度から、そのＬＥＤ輝度に変更する。
【００７８】
本実施例では、ＣＰＵ２２は、紫外線検出部２１が測定した強度に応じたＬＥＤ輝度を決定する。バックライト制御部１７は、操作検知部１５が所定の操作を検知してからＣＰＵ２２が強度に応じたＬＥＤ輝度を決定するまで、特定の輝度でＬＥＤを点灯させ、その後、ＣＰＵ２２が強度に応じたＬＥＤ輝度を決定すると、決定されたＬＥＤ輝度にＬＥＤ２０の輝度を変更する。
【００７９】
この場合、ＬＥＤ２０が消費する電力を軽減することが可能になり、かつ、ユーザに与えるストレスを軽減することが可能になる。
【００８０】
以上説明した実施例において、図示した構成は単なる一例であって、本発明はその構成に限定されるものではない。
【図面の簡単な説明】
【００８１】
【図１】本発明の一実施例の携帯端末機の構成を示したブロック図である。
【図２】携帯端末機の動作例を説明するためのフローチャートである。
【図３】携帯端末機の他の動作例を説明するためのフローチャートである。
【図４】携帯端末機の他の動作例を説明するためのフローチャートである。
【図５】従来の携帯端末機の動作例を説明するためのフローチャートである。
【符号の説明】
【００８２】
１１      ユーザ操作部
１２      メモリ
１３      電源部
１４      携帯電話無線部
１５      操作検知部
１５ａ    操作部検知部
１５ｂ    開閉検知部
１６      ＬＣＤ
１７      バックライト制御部
１８      ＬＣＤバックライト
１９      ＬＥＤ制御部
２０      ＬＥＤ
２１      紫外線検出部
【図１】
2007243544.tif 000003
【図２】
2007243544.tif 000004
【図３】
2007243544.tif 000005
【図４】
2007243544.tif 000006
【図５】
2007243544.tif 000007